(57)【要約】【課題】携帯型撮像装置で撮影した映像データを、一旦内蔵ストレージに記録させた後、無線ＬＡＮ上に設けられたサーバへ伝送して収録するシステムにおいて、収録操作の失念によってサーバに収録されない映像データが発生してしまうことを防止する。【解決手段】携帯型撮像装置１０が無線ＬＡＮ３０の基地局３１の定期的な発信電波を受信してその電界強度を測定し、閾値との比較結果に基づいて通信可能エリア内に居ると判断した場合にはＨＤＤ１５の映像データを無線ＬＡＮ３０を介してサーバ４０へ送信する伝送モードを、通信可能エリア外に居ると判断した場合には小型カメラ２から得られる映像信号を圧縮してＨＤＤ１５に記録する記録モードをそれぞれ自動的に設定する。【選択図】図１
2006270607.tif 000002
【特許請求の範囲】
【請求項１】
撮影した映像データを記録手段に記録する機能と、前記記録された映像データを無線ＬＡＮ（Local Area Network）と基地局とを介して接続されたサーバへ伝すする機能とをそれぞれ備えた携帯型撮像装置において、
前記無線ＬＡＮを介した前記基地局との通信の可否を定期的に判定する判定手段と、
前記判定手段が通信不可と判定した場合には前記記録機能のみを実行させる記録モードを設定し、通信可能と判定した場合には前記伝送機能のみを実行させる伝送モードを設定するモード設定手段と
を具備したことを特徴とする携帯型撮像装置。
【請求項２】
携帯型撮像装置と基地局とが無線ＬＡＮを介して接続されていると共に、前記基地局とサーバとが接続された映像収録システムであって、
前記携帯型撮像装置が、
撮影した映像データを記録手段に記録する機能と、前記記録された映像データを前記無線ＬＡＮと前記基地局とを介して前記サーバへ伝送する機能とをそれぞれ備えていると共に、
前記無線ＬＡＮを介した前記基地局との通信の可否を定期的に判定する判定手段と、
前記判定手段が通信不可と判定した場合には前記記録機能のみを実行させる記録モードを設定し、通信可能と判定した場合には前記伝送機能のみを実行させる伝送モードを設定するモード設定手段とを具備し、
前記サーバが、
前記携帯型撮像装置から前記無線ＬＡＮと前記基地局とを介して伝送された映像データを収録することを特徴とする映像収録システム。
【発明の詳細な説明】
【技術分野】
【０００１】
本発明は、撮影した映像データの保存機能と無線通信機能を有する携帯型撮像装置と、その携帯型撮像装置によって映像データを無線ＬＡＮ（Local Area Network）上のサーバへ収録させる映像収録システムに関する。
【背景技術】
【０００２】
従来から、ノートパソコン等の携帯型コンピュータ端末とサーバの間での無線伝送によるデータ同期方式が各種提案されている。ここに、「データ同期」とは、所定のイントラネッツサイトからデータを取り出したり、そのサイトへデータを取り込んだりすることを言う。前記のデータ同期方式は、本来であれば端末側ユーザが端末-サーバ間のリンクを確立させた後に手動でデータ同期動作の開始を指示していたのであるが、それを自動的に実行されるように改良したものである。
【０００３】
例えば、下記特許文献１においては、無線通信端末が受信する無線ＬＡＮの基地局からの電波の受信電界強度を測定し、その測定値が予め設定された閾値以上であれば自動的にデータ同期を行うシステムが提案されている。尚、前記データ同期を行えるか否かの判定に利用する情報としては、電界強度だけでなく、送信時のエラー発生率や伝送スループットや送信レート等も利用可能であることが示されている。また、下記特許文献２においては、予め取得しようとする情報に関する提供要求を移動型端末側に保持させておき、自己が無線通信可能なエリアに位置することを検出した場合に、前記提供要求を通信ネットワーク上の情報提供局へ送信するシステムが提案されており、更には、提供要求に対応させて情報取得までの制限時間を設けることも可能であり、その制限時間内の情報のみを自動的に転送するシステムも提案している。
【特許文献１】特開２００４−１１２０２２号公報
【特許文献２】特許第３３５４３４０号公報
【発明の開示】
【発明が解決しようとする課題】
【０００４】
ところで、最近では撮像機器とストレージ製品の小型・軽量化が図られており、従来のように複数の監視用カメラを所定位置に配備した定点監視方式による監視システムだけでなく、携帯型撮像装置を用いた監視システムが実現されている。そのシステムでは、図３に示すように、守衛・警護を行う警備員や災害時の救助員や巡回パトロールを行う警察官等の移動を伴う業務を行う者（以下、「作業者」という）１に対して、小型カメラ２と小型ＨＤＤ（ハードディスク装置）等のストレージ機器３を携帯させておき、作業遂行中に小型カメラ２が撮影した映像データをストレージ機器３に保存し、常駐所や本部等へ戻ってきた際に、ストレージ機器３に保存した映像データを収録用サーバ（図示せず）へアップロードすることにより現場や作業状況を総合的に管理できるようになっている。
【０００５】
そして、前記の収録用サーバへのアップロードについては、常駐所や本部等に構築されている無線ＬＡＮ上に収録用サーバを接続しておき、また作業者１が小型カメラ２と共に携帯するストレージ機器３には無線通信機能が設けられており、作業者１が常駐所や本部等へ戻ってきた段階で前記無線通信機能を作動させて無線ＬＡＮに接続し、ストレージ機器３の映像データを収録用サーバへ送信してアップロードさせる方式が採用されている。従って、作業者は作業遂行中の記録モードと常駐所や本部等へ戻ってきた段階での伝送モードとを手動操作で切り換える必要があるが、作業者がその操作をし忘れてしまうことがあり、収録すべき映像データが欠落してしまう場合が少なくない。また、作業者にとっては、作業から戻ってくる度にアップロードのための操作を行わなければならないという面倒さがあり、次の作業へ移行する際に支障を生じることがある。
【０００６】
その問題点に対して、従来技術の自動的なデータ同期によるデータ伝送方式を適用することが考えられるが、単なるデータ伝送の場合にはよいが、記録モードと伝送モードの切り換えを行うことはできない。そこで、本発明は、無線ＬＡＮに対する通信可能エリアにあるか否かで記録モードと伝送モードを自動的に切り換えることにより、前記問題点を解消した携帯型撮像装置及び映像収録システムを提供することを目的とする。
【課題を解決するための手段】
【０００７】
第１の発明は、撮影した映像データを記録手段に記録する機能と、前記記録された映像データを無線ＬＡＮと基地局とを介して接続されたサーバへ伝すする機能とをそれぞれ備えた携帯型撮像装置において、前記無線ＬＡＮを介した前記基地局との通信の可否を定期的に判定する判定手段と、前記判定手段が通信不可と判定した場合には前記記録機能のみを実行させる記録モードを設定し、通信可能と判定した場合には前記伝送機能のみを実行させる伝送モードを設定するモード設定手段とを具備したことを特徴とする携帯型撮像装置に係る。また、第２の発明は、携帯型撮像装置と基地局とが無線ＬＡＮを介して接続されていると共に、前記基地局とサーバとが接続された映像収録システムであって、前記携帯型撮像装置が、撮影した映像データを記録手段に記録する機能と、前記記録された映像データを前記無線ＬＡＮと前記基地局とを介して前記サーバへ伝送する機能とをそれぞれ備えていると共に、前記無線ＬＡＮを介した前記基地局との通信の可否を定期的に判定する判定手段と、前記判定手段が通信不可と判定した場合には前記記録機能のみを実行させる記録モードを設定し、通信可能と判定した場合には前記伝送機能のみを実行させる伝送モードを設定するモード設定手段とを具備し、前記サーバが、前記携帯型撮像装置から前記無線ＬＡＮと前記基地局とを介して伝送された映像データを収録することを特徴とする映像収録システムに係る。
【０００８】
第１の発明の携帯型撮像装置は、判定手段によって無線ＬＡＮの基地局との通信可能エリア内か否かを判定し、自動的に記録モードと伝送モードを選択設定する。また、第２の発明の映像収録システムでは、前記携帯型撮像装置が無線ＬＡＮの基地局の通信可能エリアに入って伝送モードに切り換えられた段階で、その記録手段に記録された映像データが自動的に無線ＬＡＮを介してサーバへアップロードされる。尚、無線ＬＡＮの基地局との通信の可否の判定方式としては、基地局から定期的に発信される電波の電界強度を測定して閾値と比較することにより判定する方式、データ送受信時のエラー率やスループットを測定して判定する方式等を採用できる。
【発明の効果】
【０００９】
本発明は、携帯型撮像装置が無線ＬＡＮの通信可能エリア内に居るか否かを判定して、同装置を自動的に記録モード又は伝送モードに選択設定するようにしているため、操作のし忘れによってサーバに収録されない映像データが発生してしまうことを防止する。また、前記モードの切り換えが自動化されていることにより、携帯型撮像装置の使用者にとって操作上の注意義務に関する負担が軽減されるという効果がある。
【発明を実施するための最良の形態】
【００１０】
以下、本発明の携帯型撮像装置及び映像収録システムの実施形態を図面に基づいて詳細に説明する。先ず、図１は携帯型撮像装置１０と無線ＬＡＮ３０と映像収録用のサーバ４０とからなる映像収録システムの構成図である。ここに、携帯型撮像装置１０は小型カメラ２と無線通信機能を備えたストレージ機器３とからなり、図３に示したように、作業者１は小型カメラ２をショルダーバンドによって肩上に固定し、ストレージ機器３を腰のベルトに取り付けた状態で携帯している。
【００１１】
ストレージ機器３は、制御プログラムと固定データを格納したＲＯＭ１１と、ワークエリアとして用いられるＲＡＭ１２と、小型カメラ２から得られる映像信号をディジタル信号に変換するＡ／Ｄ変換器１３と、Ａ／Ｄ変換器１３をから取り込まれた映像データを圧縮する圧縮処理部１４と、圧縮後の映像データをインターフェイス１５aから取り込んで記憶する小型ＨＤＤ１５と、無線ＬＡＮ３０側の基地局３１との間で通信プロトコルを実行すると共に伝送データの組立・分解等を行う通信制御部１６と、電波信号の送受信を行う送受信部１７と、アンテナ１８と、インターフェイス１９aを介して各種設定と電源のＯＮ／ＯＦＦを行う操作部１９とがそれぞれＣＰＵ２０のバスに接続された回路構成を有しており、ＣＰＵ２０がＲＯＭ１１のプログラムを読み出して実行することにより動作制御がなされるようになっている。
【００１２】
無線ＬＡＮ３０は、作業者１が属している組織の常駐所や本部等の構内に設置されたものであり、１又は２以上の無線基地局３１を適所に配置し、それら基地局３１が有線回線３３で接続されていると共に、その有線回線３３に対して接続された端末の１つとして映像収録用のサーバ４０が設置された構成を有している。
【００１３】
サーバ４０は、制御プログラムを格納したＲＯＭ４１と、ワークエリアとして用いられるＲＡＭ４２と、有線回線３３と接続されて信号の送受信を行う送受信部４３と、無線ＬＡＮ３０側の基地局３１との間で通信プロトコルを実行すると共に伝送データの組立・分解等を行う通信制御部４４と、受信した映像データをインターフェイス４５aから取り込んで記憶するＨＤＤ４５と、圧縮されている映像データを復号する復号処理部４６と、復号された映像データをモニタ４７aに表示させる表示制御部４７とがそれぞれＣＰＵ４９のバスに接続された回路構成を有しており、ＣＰＵ４９がＲＯＭ４１のプログラムを読み出して実行することにより動作制御がなされるようになっている。
【００１４】
図１の映像収録システムは、以上の構成に基づいて、携帯型撮像装置１０が小型カメラ２で撮影してストレージ機器３のＨＤＤ１５に記録した映像データを無線ＬＡＮ３０を介してサーバ４０へ伝送し、サーバ４０がＨＤＤ４５に収録させるという機能を有しているが、携帯型撮像装置１０の動作について図２のフローチャートを参照しながら説明する。
先ず、無線ＬＡＮ３０の各基地局３１は定期的に所定信号を発信するようになっているが、作業者１が装着している携帯型撮像装置１０のストレージ機器３ではその信号の電波を所定の電界強度以上で受信できたか否かを常時監視している（S1,S2）。即ち、ストレージ機器３のＣＰＵ２０は送受信部１７から所定信号の受信を確認すると、その受信信号の電界強度を測定し、その測定値と予めＲＯＭ１１に格納させてある閾値と比較するようになっており、その比較の結果、前記電界強度が閾値以上であれば無線ＬＡＮ３０のエリア内に居ると判断し、逆に閾値より小さければエリア外に居ると判断する（S3）。
【００１５】
ここで、無線ＬＡＮ３０のエリア外であると判断された場合には、エリア内からエリア外へ出た直後であるような状態を考慮して、サーバ４０に対する映像データのアップロード実行中であるか否かを確認する（S4）。そして、既にエリア外に居て映像記録中である場合にはそのまま映像記録を続行するが、前記のようにエリア内からエリア外へ出た直後であり、未だ映像データのアップロードが実行されている場合には、そのアップロード伝送を直ちに中止し、その中止時点でのＨＤＤ１５の読出しアドレス情報をＲＡＭ１２にセーブした後に映像記録を行う（S5,S6,S7）。尚、映像記録は、小型カメラ２から得られている映像信号をＡ／Ｄ変換器１３でディジタル信号に変換し、圧縮処理部１４で圧縮した後の映像データをＨＤＤ１５に記録することにより行われる。
【００１６】
ストレージ機器３のＣＰＵ２０は前述したように前記受信信号の受信状態を常時監視しており、無線ＬＡＮ３０のエリア外に居ると判断できていれば映像記録が継続されることになるが（S1〜S7→S1）、前記ステップS3において無線ＬＡＮ３０のエリア内に居ると判断された場合には、ＣＰＵ２０はＲＯＭ１１から回線接続要求を通信制御部１６へ読み出し、無線ＬＡＮ３０の基地局３１に対して接続要求を送信して所定の通信プロトコルを実行する（S3→S11,S12）。そして、通信プロトコルによってリンクが確立された場合には、エリア外からエリア内へ入った直後であるような状態を考慮して映像記録中か否かを確認し、もし映像記録中であるときにはそれを停止させる（S13,S14,S15）。その後、ＣＰＵ２０はＨＤＤ１５に伝送すべき映像データがあるか否かを確認する（S16）。
【００１７】
前記確認により、伝送すべき映像データがあればステップS5,S6を経た場合における読出し中止アドレス情報がＲＡＭ１２にセーブされているか否かを確認する（S17）。その結果、セーブされていない時には伝送開始位置をＨＤＤ１５に記録されている映像データの先頭位置にセットし、逆にセーブされている時には伝送開始位置をＨＤＤ１５におけるＲＡＭ１２の読出し中止アドレス情報が示す位置にセットする（S17,S18,S19）。そして、ＣＰＵ２０は、ＲＯＭ１１から無線ＬＡＮ３０の基地局３１に対するデータ受信要求を通信制御部１６へ読み出し、基地局３１からのＡＣＫ信号の受信が確認できた段階で、ＨＤＤ１５の映像データを通信制御部１６へ読み出して基地局３１へ送信する（S20,S21）。従って、携帯型撮像装置１０が無線ＬＡＮ３０のエリア外で撮影してＨＤＤ１５に保存した映像データが無線ＬＡＮ３０側のサーバ４０へアップロードされることになる（S21）。また、ＣＰＵ２０は映像データのアップロード中においても常にステップS1〜S3の監視手順を実行する（S21→S1）。尚、前記通信プロトコルによってリンクの確立ができなかった場合、及びＨＤＤ１５に伝送すべき映像データが存在しない場合には、ステップS1に戻って無線ＬＡＮ３０のエリア内に居るか否かを確認する（S13→S1,S16→S1）。
【００１８】
以上のようにして、携帯型撮像装置１０は無線ＬＡＮ３０に対して通信可能エリアに居るか否かによって自動的に映像記録モード（S7）と伝送モード（S21）とを選択設定するが、伝送モード（S21）で無線ＬＡＮ３０に送信された映像データはサーバ４０に収録される。サーバ４０では、無線ＬＡＮ３０の基地局３１から有線回線３３を通じて伝送された映像データを送受信部４３から取り込み、通信制御部４４からインターフェイス４５aを介してＨＤＤ４５に収録する。その収録した映像データは圧縮されたものであるため、モニタ４７aに表示再生させる際には、ＨＤＤ４５から映像データを復号処理部４６へ読み出して復号した後、表示制御部４７へ転送してモニタ４７aへ出力させる。
【００１９】
この実施形態では、携帯型撮像装置１０が小型カメラ２と無線通信機能を備えたストレージ機器３の２つの独立したユニットからなり、図３に示すように作業者１が携帯していることとしたが、単一ユニットとして携帯できるような構成であってもよく、携帯方式についても、ショルダーバンドによる肩上への装着方式に限らず、ヘルメット等の装着具に取り付けて携帯させる方式であってもよい。また、無線ＬＡＮの通信方式としてはIEEE 802.11bやIEEE 802.11aやIEEE 802.11g等の各種規格が適用できる外、Bluetooth等の無線ＰＡＮ（Personal Area Network）も適用できる。
【産業上の利用可能性】
【００２０】
本発明は、携帯型撮像装置で撮像した映像データを無線ＬＡＮを介してサーバへ収録させる映像収録システムに適用できる。
【図面の簡単な説明】
【００２１】
【図１】本発明の実施形態に係る携帯型撮像装置のブロック図及び映像収録システムの構成図である。
【図２】携帯型撮像装置の動作手順を示すフローチャートである。
【図３】作業者による携帯型撮像装置（小型カメラと無線通信機能を備えたストレージ機器）の携帯方式を示す図である。
【符号の説明】
【００２２】
１…作業者、２…小型カメラ、３…無線通信機能を備えたストレージ機器、１０…携帯型撮像装置、１１,４１…ＲＯＭ、１２,４２…ＲＡＭ、１３…Ａ／Ｄ変換器、１４…圧縮処理部、１５…小型ハードディスク装置、１５a,１９a,４５a…インターフェイス、１６,４４…通信制御部、１７,４３…送受信部、１８,３２…アンテナ、１９…操作部、２０,４９…ＣＰＵ、３０…無線ＬＡＮ、３１…基地局、３３…有線回線、４０…映像収録用サーバ、４５…ハードディスク装置、４６…復号処理部、４７…表示制御部、４７a…モニタ。
【図１】
2006270607.tif 000003
【図２】
2006270607.tif 000004
【図３】
2006270607.tif 000005